(57)【要約】【課題】生産及び保管に無駄がない、複数の用途に対応可能な幅木を提供する。【解決手段】幅木３０は板状の第一部材３１と第二部材３２とからなり、第一部材３１の板厚Ｔ１は第二部材３２の板厚Ｔ２と等しく、第一部材３１の縦幅Ｈ１は第二部材３２の縦幅Ｈ２より狭く、第一部材３１の下端３１には第一凸部３１ａが形成されるとともに、第二部材３２の上端３２ｃには第二凸部３２ａが形成され、第一凸部３１ａと第二凸部３２ａの厚さＴ３，Ｔ４を加えたものは第一部材３１の板厚Ｔ１と略等しく、第一部材３１を上方に配置する場合には、第一凸部３１ａに対して第二凸部３２ａを室内側Ｐから重ねた状態で壁材１５の下部に取付け、第一部材３１を下方に配置する場合には、第一凸部３１ａを上方に向けるようにするとともに、第二凸部３２ａを下方に向けるようにし、第一凸部３１ａに対して第二凸部３２ａを室内側Ｐから重ねた状態で壁材１５の下部に取付ける。【選択図】図１
2012251303.tif 000002
【特許請求の範囲】
【請求項１】
板状の第一部材と第二部材とからなり、前記第一部材と前記第二部材とを上下に組合せ、壁下地材に室内側から固定された壁材の下部に取付けられる分離型で上下反転して取付け可能な幅木であって、
前記第一部材の板厚は前記第二部材の板厚と等しく、前記第一部材の縦幅は前記第二部材の縦幅より狭く、しかも前記第一部材の下端室外側には第一凸部が形成されるとともに、前記第二部材の上端室内側には第二凸部が形成され、前記第一凸部と前記第二凸部の厚さを加えたものは前記第一部材の板厚と略等しく、
前記第一部材を前記第二部材より上方に配置する場合には、前記第一部材の第一凸部を下方に向けるようにするとともに、前記第二部材の第二凸部を上方に向けるようにし、前記第一部材の第一凸部に対して前記第二部材の第二凸部を室内側から重ねた状態で、前記壁材の下部に取付け、
前記第一部材を前記第二部材より下方に配置する場合には、前記第一部材の第一凸部を上方に向けるようにするとともに、前記第二部材の第二凸部を下方に向けるようにし、前記第一部材の第一凸部に対して前記第二部材の第二凸部を室内側から重ねた状態で、前記壁材の下部に取付けることを特徴とする幅木。
【請求項２】
前記第一部材及び前記第二部材の室内側に露出した面に加え、
前記第一部材を前記第二部材より上方に配置する場合において下方を向く第二部材の面、及び前記第一部材を前記第二部材より下方に配置する場合において下方を向く第一部材の面にも化粧層が施されていることを特徴とする請求項１に記載の幅木。
【請求項３】
請求項１又は２に記載の幅木の使用方法であって、
床材の張替えに対応させるために、前記第一部材を前記第二部材より上方に配置し、前記第一部材の第一凸部に対して前記第二部材の第二凸部を室内側から重ねた状態で、前記壁材の下部に取付け、前記床材の張替えの際には前記第一部材はそのままの状態で、前記第二部材のみを脱着することを特徴とする幅木の使用方法。
【請求項４】
請求項１又は２に記載の幅木の使用方法であって、
床材の厚さ方向の寸法変化に対応させるために、前記第一部材を前記第二部材より下方に配置し、前記第一部材の第一凸部を上方に向けるようにするとともに、前記第二部材の第二凸部を下方に向けるようにし、前記第一部材の第一凸部に対して前記第二部材の第二凸部を室内側から重ねた状態で、前記壁材の下部に取付けることを特徴とする幅木の使用方法。
【請求項５】
請求項１又は２に記載の幅木の使用方法であって、
前記壁材の下部に設けられた点検口を利用した点検に対応させるために、前記第一部材を前記第二部材より上方に配置し、前記第一部材の第一凸部に対して前記第二部材の第二凸部を室内側から重ねた状態で、前記壁材の下部に取付け、前記点検の際には前記第一部材はそのままの状態で、前記第二部材のみを脱着することを特徴とする幅木の使用方法。
【発明の詳細な説明】
【技術分野】
【０００１】
本発明は、住宅等の内装材に用いられる、二つの部材からなる分離型の幅木に関するものである。
【背景技術】
【０００２】
住宅等の壁を造るには、まず構造材である柱と柱の間に、ランナー、間柱受け材等と呼ばれる横部材を敷設し、その上部に所定間隔で切り欠きを設けるか、あるいは、横部材を用いず、土台、梁の上部に直接、切り欠きを設け、その切り欠きに間柱を嵌め込んで立設する。内壁としてプラスターボード等の壁材を壁下地材に室内側から固定し、壁材の下部には縦幅（高さ）５０ｍｍ〜８０ｍｍ程度の幅木と呼ばれる板状建材が接着剤やフィニッシュネイル等で固定される。また、外壁としてサイディングやモルタルが施工される。
この幅木は、壁材に固定されてしまうため、特に寒冷地のように温度、湿度の変動が激しい地域においては、施工後に生じてしまう床材の厚さ方向の寸法変化に対応することが困難である。つまり、床材に厚さ方向の寸法変化が生じたときには、幅木と床材との間に隙間が発生してしまい、冷気が室内に流入するといった問題が生じる。また、隙間が生じることで見栄えが悪くなったり、その隙間に塵埃がたまって不衛生な状態になるといった問題がある。
【０００３】
そこで、図１０に示すような幅木１０が開示されている（例えば特許文献１乃至４参照）。
幅木１０は、上部幅木１１と、その上部幅木１１の下方に配置し縦幅が上部幅木１１の縦幅よりも狭い下部幅木１２とからなり、上部幅木１１は壁材１５へ接着剤や釘を用いて固定される。これに対して下部幅木１２は、床材１３には固定されるが、壁材１５とは固定されていない。なお、上部幅木１１の下部が、下部幅木１２の上部と厚さ方向に重なるように壁材１５に固定されるが、上部幅木１１と下部幅木１２とは互いに固定されていない。
したがって、床材１３に厚さ方向の寸法変化が生じたとしても、下部幅木１２が床材１３とともに上下動するので、下部幅木１２と床材１３との隙間の発生を防止できる。
【０００４】
しかし、この幅木１０は、上部幅木１１が壁材１５に固定されている上に、上部幅木１１を取外さないと下部幅木１２を外せない構造なので、床材１３を張替える際には上部幅木１１と下部幅木１２の両方を取外す必要がある。その結果、上部幅木１１を取外すことで壁紙や壁材１５を傷めてしまうといった問題がある。
【０００５】
これに対して、図１１に示すような、床材１３の張替えを重視した幅木２０が開示されている（例えば特許文献５乃至８参照）。
この幅木２０は、下部幅木２２の上向き凸部２２ａが上部幅木２１の下向き凸部２１ａに対し、室内側Ｐから重なる。そして、上部幅木２１は接着剤やフィニッシュネイルによって壁材１５に、下部幅木２２は木ねじ２７によって床材１３に固定される。
下部幅木２２に対して木ねじ２７を容易にねじ込むために、また木ねじ２７をねじ込んだ際の下部幅木２２の破損防止のために、下部幅木２２の下部は室内側Ｐに突出している。また、下部幅木２２は下部を床材１３に固定されるのみで、下部幅木２２は上部幅木２１に固定されていないので、下部幅木２２を床材１３にしっかり固定するために、下部幅木２２の縦幅を狭く（上部幅木２１の縦幅よりも狭く）したり、下部幅木２２を厚くして床材１３と当接する面積を広くしている。
【０００６】
この幅木２０によると、下部幅木２２の上向き凸部２２ａが上部幅木２１の下向き凸部２１ａに対し、室内側Ｐから重なっているので、上部幅木２１はそのままで下部幅木２２のみを取外すことで、壁紙や壁材１５を傷めずに床材１３を張り替えることができる。また、下部幅木２２は床材１３にのみ固定されているので、床材１３の厚さ方向の寸法変化にも対応できる。
【先行技術文献】
【特許文献】
【０００７】
【特許文献１】特開２００１−１９３２７３号公報
【特許文献２】実開平２−１２９５４３号公報
【特許文献３】特開平１０−０８８７７９号公報
【特許文献４】特開平９−１１２０１７号公報
【特許文献５】特許第３７９０３４１号公報
【特許文献６】特許第３３８７８４４号公報
【特許文献７】特許第３３５９６０４号公報
【特許文献８】特許第３６１８２８９号公報
【発明の概要】
【発明が解決しようとする課題】
【０００８】
しかしながら、図１１に示す床材１３の張替えを重視した幅木２０は、下部幅木２２の下部が室内側Ｐに突出しているので、この部分が幅木２０全体の意匠に与える影響が大きく、その結果として幅木２０が施工された部屋の印象にも影響する。さらに、家具を置く際に下部幅木２２の室内側Ｐへの突出分だけ、家具と壁材１５との間の隙間が広くなってしまい、この隙間に物が落ちるという不具合がある。
【０００９】
よって、床材１３の厚さ方向の寸法変化にのみ対応し下部が室内側Ｐに突出していない幅木１０と、床材１３の張替えを重視ししかも床材１３の厚さ方向の寸法変化にも対応可能であるが下部が室内側Ｐに突出している幅木２０のいずれにするか需要者が選択できるように、建材メーカーは少なくとも二種類の幅木１０，２０を製造、受注、販売しなければならなかった。
建材メーカーが製造しなければならない製品数が増えると、製造単価は上がってしまうという問題がある。また、建材メーカーは売れ行き予測を誤ってしまうと、ある種類の幅木１０に関しては多くの在庫を長期間抱えてしまう一方で、他の種類の幅木２０に関しては生産が納期に間に合わないという事態が起こるという問題もある。
【００１０】
そこで、本発明の目的とするところは、生産及び保管に無駄がない、複数の用途に対応可能な幅木を提供することにある。
【課題を解決するための手段】
【００１１】
上記の目的を達成するために、本発明の請求項１に記載の幅木（３０）は、板状の第一部材（３１）と第二部材（３２）とからなり、前記第一部材（３１）と前記第二部材（３２）とを上下に組合せ、壁下地材（１４）に室内側（Ｐ）から固定された壁材（１５）の下部に取付けられる分離型で上下反転して取付け可能な幅木（３０）であって、前記第一部材（３１）の板厚（Ｔ１）は前記第二部材（３２）の板厚（Ｔ２）と等しく、前記第一部材（３１）の縦幅（Ｈ１）は前記第二部材（３２）の縦幅（Ｈ２）より狭く、しかも前記第一部材（３１）の下端（３１ｃ）室外側（Ｑ）には第一凸部（３１ａ）が形成されるとともに、前記第二部材（３２）の上端（３２ｃ）室内側（Ｐ）には第二凸部（３２ａ）が形成され、前記第一凸部（３１ａ）と前記第二凸部（３２ａ）の厚さ（Ｔ３，Ｔ４）を加えたものは前記第一部材（３１）の板厚（Ｔ１）と略等しく、前記第一部材（３１）を前記第二部材（３２）より上方に配置する場合には、前記第一部材（３１）の第一凸部（３１ａ）を下方に向けるようにするとともに、前記第二部材（３２）の第二凸部（３２ａ）を上方に向けるようにし、前記第一部材（３１）の第一凸部（３１ａ）に対して前記第二部材（３２）の第二凸部（３２ａ）を室内側（Ｐ）から重ねた状態で、前記壁材（１５）の下部に取付け、前記第一部材（３１）を前記第二部材（３２）より下方に配置する場合には、前記第一部材（３１）の第一凸部（３１ａ）を上方に向けるようにするとともに、前記第二部材（３２）の第二凸部（３２ａ）を下方に向けるようにし、前記第一部材（３１）の第一凸部（３１ａ）に対して前記第二部材（３２）の第二凸部（３２ａ）を室内側（Ｐ）から重ねた状態で、前記壁材（１５）の下部に取付けることを特徴とする。
【００１２】
また、請求項２に記載の幅木（３０）は、前記第一部材（３１）及び前記第二部材（３２）の室内側（Ｐ）に露出した面に加え、前記第一部材（３１）を前記第二部材（３２）より上方に配置する場合において下方を向く第二部材の面（３２ｄ）、及び前記第一部材（３１）を前記第二部材（３２）より下方に配置する場合において下方を向く第一部材の面（３１ｂ）にも化粧層（３３）が施されていることを特徴とする。
【００１３】
また、請求項３に記載の幅木（３０）の使用方法は、床材（１３）の張替えに対応させるために、前記第一部材（３１）を前記第二部材（３２）より上方に配置し、前記第一部材（３１）の第一凸部（３１ａ）に対して前記第二部材（３２）の第二凸部（３２ａ）を室内側（Ｐ）から重ねた状態で、前記壁材（１５）の下部に取付け、前記床材（１３）の張替えの際には前記第一部材（３１）はそのままの状態で、前記第二部材（３２）のみを脱着することを特徴とする。
【００１４】
また、請求項４に記載の幅木（３０）の使用方法は、床材（１３）の厚さ方向の寸法変化に対応させるために、前記第一部材（３１）を前記第二部材（３２）より下方に配置し、前記第一部材（３１）の第一凸部（３１ａ）を上方に向けるようにするとともに、前記第二部材（３２）の第二凸部（３２ａ）を下方に向けるようにし、前記第一部材（３１）の第一凸部（３１ａ）に対して前記第二部材（３２）の第二凸部（３２ａ）を室内側（Ｐ）から重ねた状態で、前記壁材（１５）の下部に取付けることを特徴とする。
【００１５】
また、請求項５に記載の幅木（３０）の使用方法は、前記壁材（１５）の下部に設けられた点検口２６を利用した点検に対応させるために、前記第一部材（３１）を前記第二部材（３２）より上方に配置し、前記第一部材（３１）の第一凸部（３１ａ）に対して前記第二部材（３２）の第二凸部（３２ａ）を室内側（Ｐ）から重ねた状態で、前記壁材（１５）の下部に取付け、点検の際には前記第一部材（３１）はそのままの状態で、前記第二部材（３２）のみを脱着することを特徴とする。
【００１６】
なお、壁下地材（１４）とは柱、間柱といった縦部材、ランナー、間柱受け材といった横部材、胴縁、筋かい等であって、プラスターボード、構造用合板等の壁材（１５）の下地となる建材のことを指す。
ここで、上記括弧内の記号は、図面および後述する発明を実施するための形態に掲載された対応要素または対応事項を示す。
【発明の効果】
【００１７】
本発明に係る幅木は、板状の第一部材と第二部材とからなる分離型で上下反転して取付け可能である。
すなわち、第一部材を上方に配置する場合には、第一部材の第一凸部を下方に向けるようにするとともに、第二部材の第二凸部を上方に向けるようにし、第一部材の第一凸部に対して第二部材の第二凸部を室内側から重ねた状態で、壁材の下部に取付け、逆に第一部材を下方に配置する場合には、第一部材の第一凸部を上方に向けるようにするとともに、第二部材の第二凸部を下方に向けるようにし、第一部材の第一凸部に対して第二部材の第二凸部を室内側から重ねた状態で、壁材の下部に取付けることができる。
【００１８】
これによって、例えば、床材の張替えに対応させるためには、予め、第一部材を第二部材より上方に配置し、第一部材の第一凸部を下方に向けるようにするとともに、第二部材の第二凸部を上方に向けるようにし、第一部材の第一凸部に対して第二部材の第二凸部を室内側から重ねた状態で、壁材の下部に取付け、現実に床材を張替える必要があるときには、第一部材はそのままの状態で第二部材のみを取外し、床材を張替えた後に再度、第二部材のみを取付けるように、第二部材のみを脱着させればよい。
このとき、下側に位置する第二部材の縦幅は、第一部材の縦幅よりも広いので、第二部材を取外すことにより広い空間が得られ、床材の張替え時に床材が第一部材や他の部材に接触して傷などを生じさせるといった問題もない。
【００１９】
また、例えば、寒冷地などにおいて床材の厚さ方向の寸法変化に対応させるためには、予め、第一部材を第二部材より下方に配置し、第一部材の第一凸部を上方に向けるようにするとともに、第二部材の第二凸部を下方に向けるようにし、第一部材の第一凸部に対して第二部材の第二凸部を室内側から重ねた状態で、壁材の下部に取付け、床材の昇降に第一部材を追従させることができる。
このとき、下側に位置する第一部材の縦幅は、第二部材の縦幅よりも狭いので第一部材との重ね合わせ部の領域が小さくても容易に外れることはない。また、第一部材は第二部材に対して固定されておらず第二部材に対しスライドするので、第一部材は容易に床材の動きに追従する。
【００２０】
また、第一部材と第二部材とは板厚が等しくしかも第一凸部と第二凸部の厚さを加えたものは第一部材（又は第二部材）の板厚と略等しいので、第一部材を上方に配置した場合でも、第二部材を上方に配置した場合でも室内側の面は面一で見栄えがよい。
【００２１】
このように本発明に係る幅木は、床材の厚さ方向の寸法変化対策を重視した幅木としても、床材の張替えを重視した幅木としても使用可能であるので、建材メーカーは一種類の幅木だけを生産すればよく、生産及び保管に無駄がなく、コストの低減を図れる。
【００２２】
また、本発明によれば、前記第一部材及び前記第二部材の室内側に露出した面に加え、第一部材を第二部材より上方に配置する場合において下方を向く第二部材の面、及び第一部材を第二部材より下方に配置する場合において下方を向く第一部材の面にも化粧層が施されているので、第一部材を第二部材より上方に配置する場合及び第一部材を第二部材より下方に配置する場合のどちらの使用方法にも対応できる。
【００２３】
また、本発明によれば、壁材の下部に設けられた点検口を利用した点検に対応させるために、第一部材を第二部材より上方に配置し、第一部材の第一凸部に対して第二部材の第二凸部を室内側から重ねた状態で、壁材の下部に取付け、点検の際には第一部材はそのままの状態で第二部材のみを取外し、点検終了後に再度、第二部材のみを取付けるように、第二部材のみを脱着させることもできる。
このとき、下側に位置する第二部材の縦幅は、第一部材の縦幅よりも広いので、点検口を広くすることができる。
【００２４】
なお、本発明の幅木のように、第一部材の板厚が第二部材の板厚と等しく、第一部材の縦幅が第二部材の縦幅より狭く、しかも第一部材の下端室外側には第一凸部が形成されるとともに、第二部材の上端室内側には第二凸部が形成され、第一凸部と第二凸部の厚さを加えたものを第一部材の板厚と略等しくし、上下反転して取付け可能とした点、及び床材の厚さ方向の寸法変化対策を重視した幅木を上下反転して床材の張替えを重視した幅木としても使用する点については、上述した特許文献１乃至８には全く記載されていない。
【図面の簡単な説明】
【００２５】
【図１】本発明の実施形態に係る幅木を示す斜視図である。
【図２】本発明の実施形態に係る幅木を示す側面図である。
【図３】本発明の第一実施形態に係る幅木の使用方法における要部断面分解図である。
【図４】本発明の第一実施形態に係る幅木の使用方法における要部断面図である。
【図５】本発明の第二実施形態に係る幅木の使用方法における要部断面分解図である。
【図６】本発明の第二実施形態に係る幅木の使用方法における要部断面図である。
【図７】本発明の第三実施形態に係る幅木の使用方法における要部断面分解図である。
【図８】本発明の第三実施形態に係る幅木の使用方法における要部断面図である。
【図９】本発明の他の実施形態に係る幅木を示す側面図である。
【図１０】従来例に係る幅木を示す要部断面図である。
【図１１】別の従来例に係る幅木を示す要部断面図である。
【発明を実施するための形態】
【００２６】
（第一実施形態）
図１乃至図４を参照して、本発明の第一実施形態に係る幅木３０及び幅木３０の使用方法を説明する。
この幅木３０は、第一部材３１と、第二部材３２と、からなり、壁材１５の下部に取付けられるものである。
【００２７】
床材１３は、住宅の床を形成するもので、床下地材１６に上載された複数枚のフローリングからなる。各フローリングの一方の側面には雄実が、また他方の側面には雌実が形成されており、雌実に雄実を嵌めることで複数枚のフローリングは連結される。
【００２８】
壁下地材１４は、垂直に立設する柱１４や間柱１４等である。
１つの柱１４から他の柱１４に延びる梁には、所定間隔を開けて切り欠きが形成され、その切り欠きに対して間柱１４を嵌めて立てる。つまり、柱１４と柱１４の間に、間柱１４が柱１４に平行に立設されている。
また、柱１４と間柱１４の間や、間柱１４同士の間には、グラスウールやロックウール等の繊維系断熱材が配置されている。
【００２９】
壁材１５は、壁下地材１４に室内側Ｐから固定される建築材料で、プラスターボードが用いられることが多い。本実施形態においては、壁材１５の厚さは９ｍｍである。
壁材１５の施工は、壁下地材１４が立設した段階において、壁下地材１４に対して固定する。このとき、この後施工される床材１３の厚みに数ｍｍ加えた程度、壁材１５を床下地材１６から上方に離間させた状態となっている。つまり、後から床材１３を入れ込めるだけの空間を設けている。
よって、新築時の壁材１５の搬入に際して、従来は必要であった床材１３の傷防止のための養生材を床材１３の上面に設ける作業が不要となる。また、床材１３の張替えの際に、剥がした床材１３や新しい床材１３が壁材１５の下端１５ａに干渉し難いので、円滑に張替えを行うことができる。
また、床材１３の長さ寸法に幅木３０の厚さ以上の誤差が生じたとしても、幅木３０の厚さに壁材１５の厚さを加えた寸法に納まる誤差であれば、隙間が生じることはない。
【００３０】
幅木３０は、第一部材３１と第二部材３２からなる。第一部材３１と第二部材３２はいずれも横幅方向（壁材１５に向かって左右方向）に延び、その横幅は壁面の横幅と同程度である。施工される部屋の隅部においてはその隅部に向かって延びる幅木３０間に隅部材を使用して施工の簡素化を図ることがあるので、第一部材３１及び第二部材３２の横幅は壁面の横幅より若干狭くなることがある。
第一部材３１の板厚Ｔ１は第二部材３２の板厚Ｔ２と等しく、第一部材３１の縦幅Ｈ１は第二部材３２の縦幅Ｈ２より狭い。
【００３１】
また、第一部材３１は、下端３１ｃ室外側Ｑに長細い突起状の第一凸部３１ａが形成されており、断面は上下逆のＬ字状である。第一凸部３１ａの横幅は第一部材３１本体の横幅と等しい。第一凸部３１ａの厚さは第一部材３１の板厚Ｔ１の略半分である。
また、図２に示すように、第一部材３１を第二部材３２より上方に配置する場合及び第一部材３１を第二部材３２より下方に配置する場合のいずれにおいても室内側Ｐから見える面に化粧層たる化粧シート３３が施されている。詳細には、第一部材３１の上端３１ｂ、第一部材３１の室内側Ｐの面、第一部材３１の下端３１ｃ、第一凸部３１ａの室内側Ｐの面に化粧シート３３が貼着されている。さらに、化粧シート３３が剥がれないように、第一部材３１の上端３１ｂにおいては室外側Ｑまで、また、第一凸部３１ａの室内側Ｐの面においては第一凸部３１ａの下端３１ｄまで化粧シート３３を巻き込んである。図２以外の図面においては、簡単のため化粧シート３３を省略している。
【００３２】
なお、第一部材３１の上端３１ｂ室内側Ｐのコーナー部Ｃ１は９０度となっており、バリの除去や切傷を防止するための最低限の面取り（いわゆる糸面）しか設けられていない。第一部材３１の第一凸部３１ａを上方に向けるようにして第一部材３１を床材１３の上面に配置する場合に、もしこのコーナー部Ｃ１を必要以上に面取りしていると、第一部材３１の面取りされたコーナー部Ｃ１と床材１３の間に隙間ができてしまう。この隙間には塵埃が溜まり易くしかも清掃し難いので、このコーナー部Ｃ１はあえて必要以上に面取りをしていない。
【００３３】
第二部材３２は、上端３２ｃ室内側Ｐに長細い突起状の第二凸部３２ａが形成され、第二凸部３２ａの横幅は第二部材３２本体の横幅と等しい。第二凸部３２ａの厚さＴ４は第二部材３２の板厚Ｔ２の略半分である。つまり、第一凸部３１ａと第二凸部３２ａの厚さＴ３，Ｔ４を加えたものは第一部材３１や第二部材３２の板厚Ｔ１，Ｔ２と略等しい。また、第二凸部３２ａの長さ（第二部材３２の縦幅Ｈ２方向の長さ）は第一凸部３１ａの長さよりも短い。
第二部材３２の室内側Ｐの面には側面溝３２ｂが横幅方向に延びるように形成されており、側面溝３２ｂの深さ（第二部材３２の板厚Ｔ２方向）は側面溝３２ｂに対して木ねじ２７をねじ込んだ場合に、木ねじ２７の頭が目立たないように深くなっており、しかも第二部材３２を取付けるときには木ねじ２７の頭を第二部材３２にめり込ませる。
また、図２に示すように、第一部材３１を第二部材３２より上方に配置する場合及び第一部材３１を第二部材３２より下方に配置する場合のいずれにおいても室内側Ｐから見える面に化粧シート３３が施されている。詳細には、第二部材３２の下端３２ｄ、第二部材３２の側面溝３２ｂも含む室内側Ｐの面、第二凸部３２ａの室内側Ｐの面、第二凸部３２ａの上端３２ｅに化粧シート３３が貼着されている。つまり、第一部材３１を第二部材３２より上方に配置する場合に下方を向くため露出しない面（第二部材３２の下端３２ｄ）にも化粧シート３３が貼着されている。さらに、化粧シート３３が剥がれないように、第二部材３２の下端３２ｄにおいては室外側Ｑまで化粧シート３３を少し巻き込んである。
なお、第二部材３２の下端３２ｄ室内側Ｐのコーナー部Ｃ２も、床材１３との間に隙間を作らないように糸面程度の面取りしかしていない。
【００３４】
以上のように構成された幅木３０によれば、板状の第一部材３１と第二部材３２とからなる分離型で上下反転して取付け可能である。
すなわち、第一部材３１を上方に配置する場合には、第一部材３１の第一凸部３１ａを下方に向けるようにするとともに、第二部材３２の第二凸部３２ａを上方に向けるようにし、第一部材３１の第一凸部３１ａに対して第二部材３２の第二凸部３２ａを室内側Ｐから重ねた状態で、壁材１５の下部に取付け、逆に第一部材３１を下方に配置する場合には、第一部材３１の第一凸部３１ａを上方に向けるようにするとともに、第二部材３２の第二凸部３２ａを下方に向けるようにし、第一部材３１の第一凸部３１ａに対して第二部材３２の第二凸部３２ａを室内側Ｐから重ねた状態で、壁材１５の下部に取付けることができる。
【００３５】
次に、このように構成された幅木３０を、特に図３及び図４を参照して、床材１３の張替えに対応させて使用する方法について説明する。
まず、壁材１５が壁下地材１４に固定された後、第一部材３１の第一凸部３１ａを下方に、第二部材３２の第二凸部３２ａを上方にそれぞれ向けた状態で、第一部材３１を第二部材３２より上方に配置する。
次に、第一部材３１が接着剤やフィニッシュネイルで壁材１５に固定された段階で、第一部材３１の第一凸部３１ａに対して第二部材３２の第二凸部３２ａを室内側Ｐから重ねた状態で、第二部材３２の側面溝３２ｂに木ねじ２７をねじ込んで、第二部材３２を壁材１５の下部に取付ける。
なお、第一部材３１の壁材１５への固定は、第二部材３２を床材１３の上面に置き、その第二部材３２の第二凸部３２ａの上端３２ｅと第一部材３１の下端３１ｃの間にスペーサー（図示しない）をかませて第一部材３１の高さ方向の位置決めをしてから行う。
【００３６】
なお、第二部材３２を壁材１５に対して脱着自在とする場合、ここでは壁材１５を介して木ねじ２７を柱、間柱等の壁下地材１４にねじ込んで第二部材３２を固定したが、第二部材３２を床材１３に対して木ねじ２７でねじ込んで固定すれば、床材１３の厚さ方向の寸法変化にも対応させることができる。しかし、第二部材３２に下孔を設けないのであれば、壁材１５に対して水平に木ねじ２７をねじ込む方が不具合なく効率的に施工することができる。
【００３７】
そして、例えば施工から数年後に、床材１３を張替える必要が生じたときには、第一部材３１はそのままの状態で、第二部材３２のみを取外し、床材１３を張替えた後に再度、第二部材３２のみを取付けるように、第二部材３２のみを脱着させればよい。
【００３８】
このとき、下側に位置する第二部材３２の縦幅Ｈ２は、第一部材３１の縦幅Ｈ１よりも広いので、第二部材３２を取外すことにより広い空間が得られ、床材１３の張替え時に床材１３が第一部材３１や他の部材に接触して傷などを生じさせるといった問題もない。
また、第一部材３１を第二部材３２より上方に配置する場合には露出しない面（第二部材３２の下端３２ｄ）、及び第一部材３１を第二部材３２より下方に配置する場合には露出しない面（第一部材３１の上端３１ｂ）のどちらもが化粧されているので、第一部材３１を第二部材３２より上方に配置する場合及び第一部材３１を第二部材３２より下方に配置する場合のどちらの使用方法にも対応できる。
【００３９】
（第二実施形態）
次に図５と図６を参照して、本発明の第二実施形態に係る幅木３０の使用方法を説明する。なお、第一実施形態と同一部分には同一符号を付した。
幅木３０自体の構成に関しては第一実施形態と同一であるが、その使用方法は第一実施形態で示したものとは異なる。
【００４０】
この使用方法は、寒冷地などにおいて床材１３の厚さ方向の寸法変化に対応させるための方法である。
まず、壁材１５が壁下地材１４に固定された後、予め、第一部材３１を第二部材３２より下方に配置し、第一部材３１の第一凸部３１ａを上方に向けるようにするとともに、第二部材３２の第二凸部３２ａを下方に向けるようにする。
次に、第一部材３１を壁材１５の下部に接するように床材１３の上面に配置し、フィニッシュネイル２８で床材１３に固定する。その後、第一部材３１の第一凸部３１ａに対して第二部材３２の第二凸部３２ａを室内側Ｐから重ねた状態で、接着剤やフィニッシュネイル２８を用いて、第二部材３２を壁材１５の下部に取付ける。なお、第一部材３１と第二部材３２は互いに固定されていない。
ここで、第二部材３２の高さ方向の位置決めは、第一部材３１と第二部材３２の第二凸部３２ａの下面（本実施形態における下方の面）との間にスペーサー（図示しない）をかませて行う。
【００４１】
このとき、下側に位置する第一部材３１の縦幅Ｈ１は、第二部材３２の縦幅Ｈ２よりも狭いので第一部材３１との重ね合わせ部の領域が小さくても容易に外れることはない。また、第一部材３１は床材１３に固定され、しかも第一部材３１と第二部材３２は互いに固定されていないので、第一部材３１は第二部材３２に対しスライドし、第一部材３１は容易に床材１３の動きに追従する。したがって、冷気が室内に流入したり、見栄えが悪くなったりしない。
また、第一部材３１と第二部材３２とは板厚Ｔ１，Ｔ２が等しくしかも第一凸部３１ａと第二凸部３２ａの厚さを加えたものは第一部材３１（又は第二部材３２）の板厚Ｔ１，Ｔ２と略等しいので、第一部材３１を上方に配置した場合でも、第二部材３２を上方に配置した場合でも室内側Ｐの面は面一で見栄えがよい。
【００４２】
さらに、第一部材３１を第二部材３２より上方に配置する場合及び第一部材３１を第二部材３２より下方に配置する場合において、第一部材３１及び第二部材３２の室内側Ｐに露出した面に化粧シート３３が施されているので、第一部材３１を第二部材３２より上方に配置する場合及び第一部材３１を第二部材３２より下方に配置する場合のどちらの使用方法にも対応できる。
このように、床材１３の張替えを重視した幅木３０としても、本実施形態のように床材１３の厚さ方向の寸法変化対策を重視した幅木３０としても使用可能であるので、建材メーカーは一種類の幅木３０だけを生産すればよく、生産及び保管に無駄がなく、コストの低減を図れる。
【００４３】
（第三実施形態）
次に図７と図８を参照して、本発明の第三実施形態に係る幅木３０の使用方法を説明する。なお、第一実施形態と同一部分には同一符号を付した。
本実施形態の第一実施形態との違いは、幅木３０の使用方法及び壁材１５の構成であり、幅木３０自体の構成に関しては第一実施形態と同一である。
【００４４】
壁材１５の施工は、壁下地材１４が立設した段階において、壁材１５を床材１３から上方に４０ｍｍ程度離間する状態で壁下地材１４に固定する。こうすることで壁材１５の下部に、つまり壁材１５と床材１３の間に空隙が形成され、これが点検口２６となる。壁材１５は二つの柱１４間の一面全てに施されるので、この点検口２６が二つの柱１４間に亘って大きく開口した状態で形成される。
【００４５】
以下、このような点検口２６を利用した、壁下地材１４等の壁体内の腐朽やシロアリの被害の有無を簡易かつ精度よく点検するための、幅木３０の使用方法を説明する。
まず、厚さＴ５が壁材１５の厚さＴ６と等しく、縦幅Ｈ３が点検口２６の縦幅Ｈ４よりも狭い取付下地材３８を点検口２６に嵌める。この時点では、取付下地材３８は床材１３に置かれただけであり、壁下地材１４とも固定されていない。取付下地材３８の横幅は第一部材３１や第二部材３２の横幅と略等しい。
【００４６】
次に、第一部材３１の第一凸部３１ａを下方に、第二部材３２の第二凸部３２ａを上方にそれぞれ向けた状態で、第一部材３１を第二部材３２より上方に配置する。
次に、第一実施形態と同様にスペーサーを用いて、第一部材３１の高さ方向の位置決めをし、第一部材３１を接着剤やフィニッシュネイルで壁材１５に固定する。そして、一旦第二部材３２と取付下地材３８を取り外し、第二部材３２と取付下地材３８を合わせて下孔を開け、この下孔に木ねじ２７をねじ込んで第二部材３２と取付下地材３８を一体化する。
最後に、この状態で第一部材３１の第一凸部３１ａに対して第二部材３２の第二凸部３２ａを室内側Ｐから重ね、さらに第二部材３２と取付下地材３８を連結した木ねじ２７を壁下地材１４にねじ込む。このようにして、幅木３０を壁材１５の下部に取付ける。
【００４７】
ここで、第二部材３２の縦幅Ｈ２は、点検口２６の縦幅Ｈ４よりも若干広いだけだが、第一部材３１の第一凸部３１ａの下端３１ｄが、壁材１５の下端１５ａよりも下方に位置しているので、第一部材３１及び第二部材３２の両者で点検口２６を完全に塞ぎ、取付下地材３８を覆うことができる。
【００４８】
そして、壁下地材１４等の壁体内の点検の際には第一部材３１はそのままの状態で、第二部材３２及び取付下地材３８を取外し、点検終了後に再度、取付下地材３８及び第二部材３２を取付ける。
このとき、下側に位置する第二部材３２の縦幅Ｈ２は、第一部材３１の縦幅Ｈ１よりも広いので、第一部材３１を第二部材３２より下方に配置し第一部材３１を脱着して点検する場合に比べて、本実施形態のように第二部材３２を脱着する場合のほうが点検口２６の縦幅Ｈ４を広くすることができる。
このように、床材１３の厚さ方向の寸法変化対策を重視した幅木３０としても、本実施形態のように壁下地材１４の点検を重視した幅木３０としても使用可能であるので、建材メーカーは一種類の幅木３０だけを生産すればよく、生産及び保管に無駄がなく、コストの低減を図れる。
【００４９】
なお、第一乃至第三実施形態において、第一部材３１の縦幅Ｈ１は第二部材３２の縦幅Ｈ２よりも狭いとしたが、これに限られるものではなく、それぞれの縦幅Ｈ１，Ｈ２を等しくすることも可能である。さらに、第一部材３１と第二部材３２を同一形状にして表裏面全面を化粧すれば、上下の方向性を気にすることなく施工することができるが、これはあまり好ましい仕様ではない。
【００５０】
また、第一部材３１のみが壁材１５に固定されているときに、第一部材３１の室内側Ｐに露出した面全てに化粧シート３３を施したが、これに限られるものではなく、第一部材３１の第一凸部３１ａに対して第二部材３２の第二凸部３２ａを室内側Ｐから重ねた状態で、室内側Ｐに露出した面に対し化粧シート３３が施されていれば足りる。
また、化粧シート３３は一組の第一部材３１及び第二部材３２において、全て同じものである必要はなく、同じような質感であるならば化粧シート３３の材質が異なっていてもよい。
さらに、化粧層は化粧シート３３ではなく、図９に示すように、塗装３３によって形成されていてもよい。この場合、化粧シート３３とは異なり剥がれる心配がないので、第一部材３１及び第二部材３２の室外側Ｑや第一部材３１の下端３１ｄまで回り込んで塗装する必要はない。
また、化粧層として必ずしも幅木３０に化粧シート３３が施されていることは要しない。例えば、他の化粧層の態様として、無垢の木材を用いた無塗装仕様、塗膜の形成されない自然塗料仕上げなどであってもよい。要は、どのような化粧層３３であったとしても、第一部材３１を上方に配置する場合も第二部材３２を上方に配置する場合も室内側Ｐから見える面の全てが同様の表面仕上げとなっていればよい。
さらには、現実的ではないかもしれないが、化粧層３３が形成されていなくてもよい。
【００５１】
また、第一凸部３１ａの厚さＴ３と第二凸部３２ａの厚さＴ４は第一部材３１の板厚Ｔ１の略半分としたが、これに限られるものではなく、第一凸部３１ａと第二凸部３２ａの厚さＴ３，Ｔ４を加えたものが第一部材３１の板厚Ｔ１と略等しければ、第一凸部３１ａと第二凸部３２ａの厚さＴ３，Ｔ４が互いに異なっていてもよい。
また、幅木３０のデザインによっては、第一凸部３１ａや第二凸部３２ａの厚さＴ３，Ｔ４は均一な厚さでなくてもよい。
【００５２】
また、第二実施形態において、第一部材３１は床材１３に固定されるとしたが、第一部材３１が確実に床材１３の動きに追従するときには、床材１３に固定しなくてもよい。
【符号の説明】
【００５３】
１０      幅木
１１      上部幅木
１２      下部幅木
１３      床材
１４      壁下地材
１５      壁材
１５ａ    下端
１６      床下地材
２０      幅木
２１      上部幅木
２１ａ    下向き凸部
２２      下部幅木
２２ａ    上向き凸部
２６      点検口
２７      木ねじ
２８      フィニッシュネイル
３０      幅木
３１      第一部材
３１ａ    第一凸部
３１ｂ    第一部材の上端（上端面）
３１ｃ    第一部材の下端
３１ｄ    第一凸部の下端
３２      第二部材
３２ａ    第二凸部
３２ｂ    側面溝
３２ｃ    第二部材の上端
３２ｄ    第二部材の下端（下端面）
３２ｅ    第二凸部の上端
３３      化粧層（化粧シート、塗装）
３８      取付下地材
Ｃ１    コーナー部
Ｃ２    コーナー部
Ｈ１    第一部材の縦幅
Ｈ２    第二部材の縦幅
Ｈ３    取付下地材の縦幅
Ｈ４    点検口の縦幅
Ｔ１    第一部材の板厚
Ｔ２    第二部材の板厚
Ｔ３    第一凸部の厚さ
Ｔ４    第二凸部の厚さ
Ｔ５    取付下地材の厚さ
Ｔ６    壁材の厚さ
Ｐ      室内側
Ｑ      室外側
【図１】
2012251303.tif 000003
【図２】
2012251303.tif 000004
【図３】
2012251303.tif 000005
【図４】
2012251303.tif 000006
【図５】
2012251303.tif 000007
【図６】
2012251303.tif 000008
【図７】
2012251303.tif 000009
【図８】
2012251303.tif 000010
【図９】
2012251303.tif 000011
【図１０】
2012251303.tif 000012
【図１１】
2012251303.tif 000013